(57)【要約】  ブラインド探索を通じて新無線（ＮＲ）における制御チャネルを管理または監視するためのシステム、方法、装置、およびコンピュータプログラム製品が提供される。１つの方法は、ユーザ機器についてチャネル推定制限に達したかどうかを判定するステップを含み得る。チャネル推定制限に達したと判定されたとき、方法は、異なる制御リソースセットまたは探索空間セットから除外されるブラインド復号候補を選択するステップと、監視される候補のセットから、選択したブラインド復号候補を除去するステップとを含み得る。
2021510969.tif 000002
【特許請求の範囲】
【請求項１】
ユーザ機器についてチャネル推定制限に達したかどうかを判定するステップと、
前記チャネル推定制限に達したと判定されたとき、
異なる制御リソースセットまたは探索空間セットから除外される少なくとも１つのブラインド復号候補を選択するステップと、
監視される候補のセットから前記少なくとも１つの選択したブラインド復号候補を除去するステップと
を含む方法。
【請求項２】
異なる制御リソースセットまたは探索空間セットから除外される前記少なくとも１つのブラインド復号候補を選択する前記ステップが、既定の探索空間セットの優先順位に基づく、請求項１に記載の方法。
【請求項３】
前記判定するステップが、スロット内で前記チャネル推定を実行しなければならない制御チャネル要素の数を、前記ユーザ機器がスロット内でチャネル推定を実行できる制御チャネル要素の数と比較することによって、前記チャネル推定制限に達したかどうかを判定するステップを含む、請求項１または２に記載の方法。
【請求項４】
１つまたは複数の共通探索空間セットのタイプの一部である制御チャネル要素が常に監視される、請求項１〜３のいずれか１項に記載の方法。
【請求項５】
前記チャネル推定制限に達していないと判定されたとき、現在の制御チャネル要素レベルを維持することをさらに含む、請求項１〜４のいずれか１項に記載の方法。
【請求項６】
前記判定するステップが、１つまたは複数のＵＥ固有の探索空間セットを含む物理下りリンク制御チャネル監視が実行されるとき、スロットごとに個別に前記チャネル推定制限に達したかどうかを判定するステップを含む、請求項１〜５のいずれか１項に記載の方法。
【請求項７】
ブラインド復号候補の少なくとも１つの制御チャネル要素が除外されるとき、そのブラインド復号候補の前記制御チャネル要素のすべてを除外することを含む、請求項１〜６のいずれか１項に記載の方法。
【請求項８】
前記チャネル推定が実行されなければならない制御チャネル要素の数を低減するブラインド復号候補の組合せを、低減される制御チャネル要素の数から直接決定することをさらに含む、請求項１〜７のいずれか１項に記載の方法。
【請求項９】
前記選択するステップが、既定の探索空間セットの優先順位に基づいて前記制御チャネル要素またはブラインド復号候補のうちの少なくとも１つのどれを除去するかを決定するステップを含む、請求項１〜８のいずれか１項に記載の方法。
【請求項１０】
前記既定の探索空間セットの優先順位が検索空間セットのＩＤに基づいて決定される、請求項９に記載の方法。
【請求項１１】
制御チャネル要素またはブラインド復号候補の前記低減されるセットのうちの少なくとも１つを与えられた物理下りリンク制御チャネルを、送信または受信するステップをさらに含む、請求項１〜１０のいずれか１項に記載の方法。
【請求項１２】
少なくとも１つのプロセッサと、
コンピュータプログラムコードを含む少なくとも１つのメモリと
を備える装置であって、前記少なくとも１つのメモリおよびコンピュータプログラムコードが、前記少なくとも１つのプロセッサを用いて、前記装置に少なくとも
ユーザ機器についてチャネル推定制限に達したかどうかを判定させ、
前記チャネル推定制限に達したと判定されたとき、
異なる制御リソースセットまたは探索空間セットから除外される少なくとも１つのブラインド復号候補を選択させ、
監視される候補のセットから前記少なくとも１つの選択したブラインド復号候補を除去させるように構成される、装置。
【請求項１３】
前記少なくとも１つのメモリおよびコンピュータプログラムコードが、前記少なくとも１つのプロセッサを用いて、前記装置に少なくとも、既定の探索空間セットの優先順位に基づいて異なる制御リソースセットまたは探索空間セットから除外される前記少なくとも１つのブラインド復号候補を選択させるようにさらに構成される、請求項１２に記載の装置。
【請求項１４】
前記少なくとも１つのメモリおよびコンピュータプログラムコードが、前記少なくとも１つのプロセッサを用いて、前記装置に少なくとも、スロット内で前記チャネル推定を実行しなければならない制御チャネル要素の数を、前記ユーザ機器がスロット内でチャネル推定を実行できる制御チャネル要素の数と比較することによって、前記チャネル推定制限に達したかどうかを判定させるようにさらに構成される、請求項１２または１３に記載の装置。
【請求項１５】
１つまたは複数の共通探索空間セットのタイプの一部である制御チャネル要素が常に監視される、請求項１２〜１４のいずれか１項に記載の装置。
【請求項１６】
前記チャネル推定制限に達していないと判定されたとき、前記少なくとも１つのメモリおよびコンピュータプログラムコードが、前記少なくとも１つのプロセッサを用いて、前記装置に少なくとも、現在の制御チャネル要素レベルを維持させるようにさらに構成される、請求項１２〜１５のいずれか１項に記載の装置。
【請求項１７】
前記少なくとも１つのメモリおよびコンピュータプログラムコードが、前記少なくとも１つのプロセッサを用いて、前記装置に少なくとも、１つまたは複数のＵＥ固有の探索空間セットを含む物理下りリンク制御チャネル監視が実行されるとき、スロットごとに個別に前記チャネル推定制限に達したかどうかを判定させるようにさらに構成される、請求項１２〜１６のいずれか１項に記載の装置。
【請求項１８】
ブラインド復号候補の少なくとも１つの制御チャネル要素が除外されるとき、前記少なくとも１つのメモリおよびコンピュータプログラムコードが、前記少なくとも１つのプロセッサを用いて、前記装置に少なくとも、そのブラインド復号候補の前記制御チャネル要素のすべてを除外させるようにさらに構成される、請求項１２〜１７のいずれか１項に記載の装置。
【請求項１９】
前記少なくとも１つのメモリおよびコンピュータプログラムコードが、前記少なくとも１つのプロセッサを用いて、前記装置に少なくとも、前記チャネル推定が実行されなければならない制御チャネル要素の数を低減するブラインド復号候補の組合せを、低減される制御チャネル要素の数から直接決定させるようにさらに構成される、請求項１２〜１８のいずれか１項に記載の装置。
【請求項２０】
前記少なくとも１つのメモリおよびコンピュータプログラムコードが、前記少なくとも１つのプロセッサを用いて、前記装置に少なくとも、既定の探索空間セットの優先順位に基づいて前記制御チャネル要素またはブラインド復号候補のうちの少なくとも１つのどれを除去するかを決定させるようにさらに構成される、請求項１２〜１９のいずれか１項に記載の装置。
【請求項２１】
前記既定の探索空間セットの優先順位が検索空間セットのＩＤに基づいて決定される、請求項２０に記載の装置。
【請求項２２】
前記少なくとも１つのメモリおよびコンピュータプログラムコードが、前記少なくとも１つのプロセッサを用いて、前記装置に少なくとも、制御チャネル要素またはブラインド復号候補の前記低減されるセットのうちの少なくとも１つを与えられた物理下りリンク制御チャネルを、送信または受信させるようにさらに構成される、請求項１２〜２１のいずれか１項に記載の装置。
【請求項２３】
請求項１〜１１のいずれか１項に記載の前記方法を実行するための手段を備える、装置。
【請求項２４】
少なくとも請求項１〜１１のいずれか１項に記載の前記方法を実行するためのプログラム命令が格納された、コンピュータ可読媒体。
【発明の詳細な説明】
【技術分野】
【０００１】
関連出願の相互参照
本出願は、２０１８年１月１１日に出願された米国仮特許出願第６２／６１６，１３５号の優先権を主張する。先に出願されたこの出願の内容は、参照によりその全体が本明細書に組み込まれる。
【０００２】
いくつかの例示的な実施形態は、一般に、モバイルまたはワイヤレス電気通信システムに関連し得る。例えば、様々な例示的な実施形態は、ブラインド探索（blind searches）を使用した制御チャネルの監視に関連し得る。
【背景技術】
【０００３】
モバイルまたはワイヤレス電気通信システムの例には、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、地上無線アクセスネットワーク（ＵＴＲＡＮ：Ｔｅｒｒｅｓｔｒｉａｌ  Ｒａｄｉｏ  Ａｃｃｅｓｓ  Ｎｅｔｗｏｒｋ）、ロングタームエボリューション（ＬＴＥ）、発展型ＵＴＲＡＮ（Ｅ−ＵＴＲＡＮ）、ＬＴＥアドバンスト（ＬＴＥ−Ａ）、ＬＴＥ−Ａ  Ｐｒｏ、および／または第５世代（５Ｇ）無線アクセス技術もしくは新無線（ＮＲ）アクセス技術が含まれ得る。第５世代（５Ｇ）または新無線（ＮＲ：ｎｅｗ  ｒａｄｉｏ）のワイヤレスシステムは、次世代（ＮＧ）の無線システムおよびネットワークアーキテクチャを指す。ＮＲは約１０〜２０Ｇｂｉｔ／ｓ以上のビットレートを提供し、少なくとも拡張モバイルブロードバンド（ｅＭＢＢ：ｅｎｈａｎｃｅｄ  ｍｏｂｉｌｅ  ｂｒｏａｄｂａｎｄ）および超高信頼低遅延通信（ＵＲＬＬＣ：ｕｌｔｒａ−ｒｅｌｉａｂｌｅ  ｌｏｗ−ｌａｔｅｎｃｙ−ｃｏｍｍｕｎｉｃａｔｉｏｎ）をサポートすると推定される。ＮＲは、超高帯域および超強固な低遅延接続および大規模ネットワーキングを提供して、モノのインターネット（ＩｏＴ）をサポートすることが期待されている。ＩｏＴおよびマシンツーマシン（Ｍ２Ｍ：ｍａｃｈｉｎｅ−ｔｏ−ｍａｃｈｉｎｅ）通信がより普及するとともに、低電力、低データレート、および長いバッテリ寿命というニーズを満たすネットワークの必要性が高まることになる。５ＧまたはＮＲにおいて、無線アクセス機能をユーザ機器に提供できるノード（すなわち、Ｅ−ＵＴＲＡＮにおけるノードＢまたはＬＴＥにおけるｅＮＢと同様）は、次世代または５ＧノードＢ（ｇＮＢ）と呼ばれる場合があることに留意されたい。
【発明の概要】
【０００４】
一実施形態は、ブラインド探索を管理するための方法を対象とし、方法は、例えばネットワークノードまたはＵＥによって、ＣＨＥ制限に達したかどうかを判定するステップを含み得る。一実施形態において、判定するステップは、スロット内でＣＨＥを実行しなければならないＣＣＥの数を、ＵＥがスロット内でチャネル推定を実行できるＣＣＥの数と比較することによって、ＣＨＥ制限に達したかどうかを判定するステップを含み得る。ＣＨＥ制限に達したと判定されたとき、方法は、低減するＣＣＥの数を決定するステップを含み得る。特定の実施形態において、方法はまた、低減するＣＣＥの数を異なるＡＬのＢＤ候補に分割するステップと、異なるＣＯＲＥＳＥＴまたは探索空間セット（search space set(s)）から除外されるＢＤを選択するステップとを含み得る。一実施形態において、方法は、次いで、選択したＢＤを除去または除外するステップを含み得る。
【０００５】
別の実施形態は、少なくとも１つのプロセッサと、コンピュータプログラムコードを含む少なくとも１つのメモリとを含む装置を対象とする。少なくとも１つのメモリおよびコンピュータプログラムコードは、少なくとも１つのプロセッサを用いて、装置に少なくともＣＨＥ制限に達したかどうかを判定させるように構成され得る。一実施形態において、判定することは、スロット内でＣＨＥを実行しなければならないＣＣＥの数を、ＵＥがスロット内でチャネル推定を実行できるＣＣＥの数と比較することによって、ＣＨＥ制限に達したかどうかを判定することを含み得る。ＣＨＥ制限に達したと判定されたとき、少なくとも１つのメモリおよびコンピュータプログラムコードは、少なくとも１つのプロセッサを用いて、装置に少なくとも低減するＣＣＥの数を決定させるように構成され得る。特定の実施形態において、少なくとも１つのメモリおよびコンピュータプログラムコードは、少なくとも１つのプロセッサを用いて、装置に少なくとも、低減するＣＣＥの数を異なるＡＬのＢＤ候補に分割させ、異なるＣＯＲＥＳＥＴまたは探索空間セットから除外されるＢＤを選択させるようにも構成され得る。一実施形態において、少なくとも１つのメモリおよびコンピュータプログラムコードは、少なくとも１つのプロセッサを用いて、装置に少なくとも選択したＢＤを除去または除外させるように構成され得る。
【０００６】
別の実施形態は、ＣＨＥ制限に達したかどうかを判定するための判定手段を含み得る装置を対象とする。一実施形態において、判定手段は、スロット内でＣＨＥを実行しなければならないＣＣＥの数を、ＵＥがスロット内でチャネル推定を実行することができるＣＣＥの数と比較することによって、ＣＨＥ制限に達したかどうかを判定するための手段を含み得る。判定手段が、ＣＨＥ制限に達したと判定したとき、装置は、低減するＣＣＥの数を決定するための手段を含み得る。特定の実施形態において、装置は、低減するＣＣＥの数を異なるＡＬのＢＤ候補に分割するための手段と、異なるＣＯＲＥＳＥＴまたは探索空間セットから除外されるＢＤを選択するための手段も含み得る。一実施形態において、装置は、次いで、選択したＢＤを除去または除外するための手段を含み得る。
【０００７】
本発明を適切に理解するために、添付の図面を参照されたい。
【図面の簡単な説明】
【０００８】
【図１】例示的な一実施形態による、ＲＥＧバンドルサイズ＝２および３行のインターリーバでインターリーブされたＲＥＧからＣＣＥへのマッピングの例を示す図である。
【図２】一実施形態による、異なるアグリゲーションレベルのＢＤ候補低減の例を示す図である。
【図３】一実施形態による、複数の候補に対するＹ当たりのＢＤ候補低減の例を示す図である。
【図４】一実施形態による、ＢＤ候補の重複に依存して候補をラベル付けする例を示す図である。
【図５】一実施形態による、ＢＤ候補の重複に依存して候補をラベル付けする別の例を示す図である。
【図６Ａ】一実施形態による装置のブロック図である。
【図６Ｂ】別の実施形態による装置のブロック図である。
【図７Ａ】一実施形態による方法の例示的なフロー図である。
【図７Ｂ】別の実施形態による方法の例示的なフロー図である。
【発明を実施するための形態】
【０００９】
本明細書に全体的に説明および図示される本発明の構成要素は、多種多様な異なる構成で配置および設計され得ることは容易に理解されよう。したがって、添付の図面に示され、以下で説明されるように、ブラインド探索を通じて新無線（ＮＲ）における制御チャネルを管理または監視するためのシステム、方法、装置、およびコンピュータプログラム製品の実施形態に関する以下の詳細な説明は、本発明の範囲を制限することを意図しておらず、本発明の選択された実施形態を表すものである。
【００１０】
本明細書を通して説明される本発明の特徴、構造、または特性は、１つまたは複数の実施形態において任意の適切な方式で組み合わせることができる。例えば、本明細書全体を通じて「特定の実施形態」、「いくつかの実施形態」という句、または他の同様の用語の使用は、実施形態に関連して説明される特定の特徴、構造、または特性が本発明の少なくとも１つの実施形態に含まれ得ることを意味する。したがって、本明細書全体を通じて「特定の実施形態において」、「いくつかの実施形態において」、「他の実施形態において」という句、または他の同様の用語の出現は、必ずしもすべて実施形態の同様のグループを指すものではなく、説明される特徴、構造、または特性は、１つまたは複数の実施形態において任意の適切な方式で組み合わせることができる。
【００１１】
さらに、必要に応じて、以下で述べる異なる機能またはステップは、異なる順序で、および／または互いに同時に実行されてよい。さらに、必要に応じて、説明される機能またはステップの１つまたは複数は、任意でもよく、または組み合わされてもよい。したがって、以下の説明は、本発明の原理、教示、および実施形態の単なる例示と見なされるべきであり、それらを限定するものと見なされるべきではない。
【００１２】
特定の実施形態は、ブラインド探索によって実行される、ＮＲにおける制御チャネルの監視を対象とし得る。特定の実施形態によれば、目的は、ユーザ機器（ＵＥ：ｕｓｅｒ  ｅｑｕｉｐｍｅｎｔ）の制限されたチャネル推定能力を備えた物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）監視のためのスケーラブルな解決策を提供することを含み得る。チャネル推定能力は、ＮＲの仕様に従って動作しているすべてのＵＥに制限され得ると予想される。これは、ＮＲが、構成可能なサイズで最大３個の並列制御リソースセット（ＣＯＲＥＳＥＴ：ｃｏｎｔｒｏｌ  ｒｅｓｏｕｒｃｅ  ｓｅｔ）をサポートすることによるものである。それに加えて、ＵＥは、ブラインド復号（ＢＤ：ｂｌｉｎｄ  ｄｅｃｏｄｉｎｇ）を実行する様々なアグリゲーションレベル用に構成された、既定数のＰＤＣＣＨ候補をそれぞれ有する最大１０個の並列探索空間セットで構成され得る。その結果、特にＣＯＲＥＳＥＴサイズが大きいとき、ＵＥのチャネル推定の負荷が非常に高くなる可能性があり、ｇＮＢは、異なる探索空間セットに対して高アグリゲーションレベル（１６および／または８など）でＢＤを構成する。特定の実施形態において、ＵＥによって監視される特定のアグリゲーションレベルの候補の数をゼロに設定するために、シグナリング手段が使用され得る。関連する実施形態において、ＵＥは、特定のアグリゲーションレベルを参照するシグナリングを受信することができ、これは、指示されたアグリゲーションレベルよりも低く、場合によっては指示されたアグリゲーションレベルを含むアグリゲーションレベルを監視させないコマンドとしてＵＥによって解釈され得る。このようなシグナリングは、より高い層のシグナリングであり得、ＤＣＩ内またはＭＡＣ制御要素内で搬送され得る。このようなシグナリングの目的は、セル内のＵＥの位置に応じて、すなわち伝搬チャネルの品質に応じて、ＵＥによって実行されるブラインド復号の平均数を低減することである。
【００１３】
ＮＲ物理下りリンク制御チャネル（ＰＤＣＣＨ）は、下りリンク制御情報（ＤＣＩ：ｄｏｗｎｌｉｎｋ  ｃｏｎｔｒｏｌ  ｉｎｆｏｒｍａｔｉｏｎ）を伝達するために使用されてもよい。それは、直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）波形およびポーラ符号化を利用してもよい。ＮＲ  ＰＤＣＣＨは、復調用基準信号（ＤＭＲＳ：ｄｅｍｏｄｕｌａｔｉｏｎ  ｒｅｆｅｒｅｎｃｅ  ｓｉｇｎａｌ）のために４つおきのリソース要素を利用してもよい。ＤＣＩは、下りリンク（ＤＬ）および上りリンク（ＵＬ）のリソース割当てシグナリングに使用されてもよい。ＤＣＩはまた、キャリアアグリゲーションおよび帯域幅部分（ＢＷＰ：ｂａｎｄｗｉｄｔｈ  ｐａｒｔ）の（非）アクティベーション、フレーム構造表示（グループ共通ＰＤＣＣＨ）、電力制御の更新などの他の目的に使用されてもよい。
【００１４】
上記で紹介したように、特定の実施形態は、ブラインド探索によって実行され得る、ＮＲにおける制御チャネルの監視を対象とする場合がある。ブラインド探索またはブラインド復号（ＢＤ）は、ＵＥがすべての監視機会にＰＤＣＣＨ候補のセットを監視することによってそのＰＤＣＣＨを見つけるプロセスを指す。監視機会は、１スロットに１回、複数のスロットごとに１回、または１スロットで複数回である。一実施形態において、ＰＤＣＣＨブラインド探索は、１つまたは複数の制御リソースセット（ＣＯＲＥＳＥＴ）にマッピングされた並列探索空間または探索空間セットによって構成されてもよい。ＰＤＣＣＨブラインド探索の間、ＵＥは、構成された監視機会に対応する既定の瞬間における既定の制御チャネル要素（ＣＣＥ：ｃｏｎｔｒｏｌ  ｃｈａｎｎｅｌ  ｅｌｅｍｅｎｔ）、アグリゲートされたＣＣＥおよび／または下りリンク制御情報（ＤＣＩ）サイズを監視している可能性がある。
【００１５】
ＣＣＥは、上位レイヤのシグナリングを介して構成された既定のＣＯＲＥＳＥＴ内に配置されてもよい。各ＣＣＥは、６個のＲＥＧ（例えば、１個のＯＦＤＭシンボル内に１２個のサブキャリアを含むＲＥＧ）、および１個、２個、または３個のＲＥＧバンドルを含んでもよい。ＲＥＧバンドルは、インターリーブされるマッピングまたはインターリーブされないマッピングのいずれかを使用して、ＣＯＲＥＳＥＴにマッピングされてもよい。ＵＥは、ＲＥＧバンドルが、ＰＤＣＣＨを送信するときにｇＮＢによって使用される周波数および時間のプリコーダ粒度を定義すると想定してもよい。ＣＯＲＥＳＥＴリソースは、周波数内の６個のリソースブロックの単位で構成されてもよい。図１は、１シンボルのＣＯＲＥＳＥＴ、インターリーブされたＲＥＧからＣＣＥへのマッピング、およびＲＥＧバンドルサイズ２を想定したＰＤＣＣＨマッピングの例を示す。以下の表１は、新無線（ＮＲ）によってサポートされるＲＥＧの観点からのＲＥＧバンドルサイズの選択肢を一覧にしたものである。
【００１６】
【表１】
2021510969.tif 000003
【００１７】
探索空間セットとＣＯＲＥＳＥＴとの間に連係／関連性が存在し得ることに留意されたい。第３世代パートナーシッププロジェクト（３ＧＰＰ）のリリース１５（Ｒｅｌ−１５）において、それぞれ、ＵＥのセル内の帯域幅部分（ＢＷＰ）に対して構成可能なＣＯＲＥＳＥＴの最大数は３個であり、ＵＥのセル内のＢＷＰに対して構成可能な探索空間セットの最大数は１０個である。
【００１８】
ＰＤＣＣＨ  ＢＤのためのＵＥの能力およびサポートされるＢＤの数に関して、一定の合意に至った。例えば、第１のケースにおいて、ＰＤＣＣＨ監視の周期は１４個以上のシンボルであり得、スロットの先頭の最大３個のＯＦＤＭシンボルに対してＰＤＣＣＨ監視が行われ得るか（ケース１−１）、または１スロットに１回、スロットの最大３個の連続するＯＦＤＭシンボルの任意のスパンに対してＰＤＣＣＨ監視が行われ得る（ケース１−２）。その場合、所与のＵＥについて、探索空間構成は、スロット内の３個の連続するＯＦＤＭシンボルの同じスパン内にある。第２のケースにおいて、ＰＤＣＣＨ監視の周期は１４個未満のシンボルであり得る（ケース２）。この選択肢の背景にある目的は、非スロットベースのスケジューリングをサポートすることである。これはスロットの先頭の最大３個のＯＦＤＭシンボルに対するＰＤＣＣＨ監視を含むことに留意されたい。
【００１９】
以下に示す表２は、１スロット当たりに許容されるＰＤＣＣＨ  ＢＤの最大数の一例を示す。表２の括弧内の数は、さらに調整することはできるが増やすことはできず、ここでＸ≦１６、Ｙ≦８である。
【表２】
2021510969.tif 000004
【００２０】
ＰＤＣＣＨチャネル推定の複雑さも考慮されるべきである。ＵＥベンダーは、復号レイテンシを低減するため（または、制約のある復号レイテンシでのＰＤＣＣＨ監視にとって適切なＵＥの複雑さを有するために）、ＵＥがチャネル推定を実行するために必要なＣＣＥの数を制限することを望む。そして、少なくともいくつかのケースにおいて、ＰＤＣＣＨチャネル推定の複雑さは無視できないことが理解される。したがって、ＰＤＣＣＨブロッキング確率への影響と共にチャネル推定の複雑さの問題を解決するためのソリューションが望まれる。１つの選択肢は、ＰＤＣＣＨチャネル推定用のＣＣＥの数の制限を定義することであり、これは、ＰＤＣＣＨ候補用のＣＣＥのセットの合併を意味する。
【００２１】
ＮＲ  ＰＤＣＣＨブラインド復号の構成可能性は、少なくともアグリゲーションレベル、ＤＣＩフォーマットサイズ、アグリゲーションレベル当たりの復号候補の数、異なる監視周期、および復号候補ごとのＣＣＥのセットを含み得る。異なるサービスおよび対応する探索空間セットは、異なるＰＤＣＣＨ監視周期を使用し得る。様々なサービスを最適な方法で管理するには、例えば異なる数のＰＤＣＣＨ候補、異なるアグリゲーションレベル、および監視周期などを用いて、互いに独立して異なる探索空間セットにおいてＰＤＣＣＨ監視を構成することが望ましい場合がある。この結果、構成されるＢＤの数および／またはチャネル推定（ＣＨＥ：ｃｈａｎｎｅｌ  ｅｓｔｉｍａｔｉｏｎ）のためのＣＣＥの数は、例えば、スロット内で監視される探索空間セットの数に応じて、ならびに／またはハッシュ関数の時間依存性および異なるアグリゲーションレベルで監視されるＢＤの数に応じて、スロット間で変化することがある。ハッシュ関数は通常、構成されたＰＤＣＣＨ候補の時間依存の重複により、割り振られるＣＣＥの数を変更し、ＬＴＥでは、ハッシュ関数はサブフレームインデックス（絶対タイミング基準）に依存し、一方ＮＲでは、監視機会ごとに増分されるカウンタなどの絶対または相対タイミング基準に依存し、いずれの場合も、カウントは、モジュロ演算子によって制限され得る。大部分の時間インスタンスではＢＤが最大値を下回るので、ＮＲは一部の時間インスタンスに対してＢＤのオーバーブッキングを許容することがある。
【００２２】
したがって、生じる問題は、ＵＥチャネル推定の複雑さが制限要因である場合、ＵＥ  ＢＤ（およびｇＮＢ  ＰＤＣＣＨ送信）をどのように管理するかである。１つの例示的なシナリオは、ＵＥ用に構成された１つまたは複数のＣＯＲＥＳＥＴ、ＵＥ用に構成された１つまたは複数の探索空間セット（ＳＳＳ：ｓｅａｒｃｈ  ｓｐａｃｅ  ｓｅｔ）があるものでもよく、ＵＥは１スロット当たり最大Ｍ個のＰＤＣＣＨ  ＢＤをサポートすることができ（例えば、３０ｋＨｚ  ＳＣＳを使用する場合、Ｍは３６であり得る）、ＵＥは最大Ｚ個のＣＣＥ／スロットに対するチャネル推定をサポートすることができる（例えば、３０ｋＨｚ  ＳＣＳを使用する場合、Ｚは４８であり得る）。
【００２３】
異なる数のＣＯＲＥＳＥＴ、異なる数のＳＳＳ、異なるＣＨＥ／ＢＤ能力（異なる数値を含む）、スロットベースと非スロットベースのスケジューリングの異なる組合せ、および／またはＣＡとＢＷＰの異なる組合せなどのあらゆるシナリオに適用される、ＣＣＥの数を許容レベルまで低減するための解決策が必要である。適切な解決策は、ＵＥが実行できる制限された数のＢＤ、およびＵＥがチャネル推定を計算できる制限された数のＣＣＥの処理方法について対処することになる。ＮＲ  Ｒｅｌ−１５ではＣＣＥ除外を構成するためのＲＲＣパラメータを有することができない可能性が高い（言い換えれば、機能が事前定義されるか、または暗黙的に動作する必要がある）という事実によって、問題の難易度はさらに高まる可能性がある。
【００２４】
本明細書に述べるように、ＰＤＣＣＨ候補およびブラインド復号（ＢＤ）という用語は同等に使用されることがあり、後者は、ハッシュ関数によって割り当てられたそれぞれのＰＤＣＣＨ候補に対してＢＤが実行される必要があるＵＥ側から考慮され得る。
【００２５】
一実施形態は、（例えば、ＰＤＣＣＨ監視に関連する）ＵＥのチャネル推定の負荷を低減するためにＣＣＥを除外するための手法を提供する。いくつかの実施形態は、既定のルールおよび／または暗黙的なシグナリングに基づき得る（すなわち、追加のＲＲＣシグナリングを必要としない）。特定の実施形態によれば、ＵＥは、１スロット当たりのサポートされるＢＤの数を認識し、ＵＥは、チャネル推定によってサポートされる１スロット当たりのＣＣＥの数を認識し、ＵＥは、ＣＯＲＥＳＴ／ＳＳＳ構成を認識するものと仮定され得る。さらに、いくつかの実施形態において、ｇＮＢは、ＰＤＣＣＨ監視をオーバーブッキングすることが可能である場合があり（すなわち、構成は、ＵＥのＢＤ／ＣＨＥ能力を即時に超える）、ＵＥ（ｇＮＢ）は、（低減パターンが時間的に周期的であっても）ＰＤＣＣＨ監視（ＰＤＣＣＨ送信）を動的に、例えばスロットからスロットへ、または監視機会から監視機会へ管理し得る。
【００２６】
特定の実施形態は、「Ｘ」、「Ｙ」、および「Ｚ」とラベル付けされたパラメータを利用または参照することができ、Ｘは、スロット内でチャネル推定を実行しなければならないＣＣＥの数を表し、Ｚは、ＵＥがスロット内でチャネル推定を実行できるＣＣＥの数を表し、Ｙは低減するＣＣＥの数を表す。
【００２７】
一実施形態は、ＣＨＥ制限に達したかどうか、すなわち、Ｘ＞Ｚであるかどうか判定するように構成される。一実施形態において、Ｘ＞Ｚであると判定されたとき、Ｙ（低減するＣＣＥの数）が決定され得、Ｙは異なるアグリゲーションレベル（Ｙ（ｎ））のＢＤ候補に分割され得、異なるＣＯＲＥＳＥＴ／探索空間セットから除外するＢＤが選択され得る。一実施形態によれば、Ｘ≦Ｚである（すなわち、ＸがＺより多くない）と判定されたとき、ＣＣＥ除外は実行されない。特定の実施形態において、複数のＣＯＲＥＳＥＴまたは探索空間セットがＵＥに対して構成されている場合、ＹはＹ＝Ｙ’＋Ｙ”＋…に分割され、Ｙ’は第１のＣＯＲＥＳＥＴまたは探索空間セットに割り当てられ、Ｙ”は第２のＣＯＲＥＳＥＴまたは探索空間セットに割り当てられ、以下同様に行われる。ＹのＹ’、Ｙ”などへの分割は、仕様によって事前定義されるか、明示的なシグナリングによって構成されるか、または暗黙的に導出され得る。暗黙的な分割の簡単な方法は、割り振られるＣＣＥの数に関連する分割であり、割り振られるＣＣＥの数は、正確に計算されるか、または異なるアグリゲーションレベルのＰＤＣＣＨ候補間の重複をゼロと仮定することによって概算され得る。
【００２８】
一実施形態において、ＵＥ（またはｇＮＢ）は、１つまたは複数のＵＥ固有の探索空間セットを含むＰＤＣＣＨ監視が実行されるとき、スロットごとに個別にＣＨＥ制限に達したかどうかを判定し得る。別の実施形態において、共通探索空間セットの一部であるＣＣＥは決して除外されない（言い換えれば、ＣＣＥ除外手順は、共通探索空間の外側のＣＣＥおよび対応するＣＯＲＥＳＥＴに対して行われる）。さらに別の実施形態において、ＢＤ候補の少なくとも１つのＣＣＥが除外される場合、同じＢＤ候補のすべてのＣＣＥが除外されるようになる（言い換えれば、一実施形態において、ＢＤ候補の部分的な除外は必ずしも提供されない）。
【００２９】
一実施形態によれば、ＵＥは、チャネル推定を実行しなければならないＣＣＥの数を低減する候補の組合せを、パラメータＹおよび構成されたアグリゲーションレベルのセットを用いて直接決定し得る。一実施形態において、候補が他の有効な候補と重複していない場合、チャネル推定数はＹだけ低減され得る（すべての候補が重複していない場合、Ｙ＝Ｚ−Ｘ）。別の実施形態において、候補が（多かれ少なかれ）重複している場合、２度目の低減を実行し得る。これは、ＣＯＲＥＳＥＴの特定のＣＣＥが除外される場合、同じＣＯＲＥＳＥＴの探索空間セットのすべてのＰＤＣＣＨ候補に影響を与えると定義することによって回避することができる。言い換えると、選択されたＰＤＣＣＨ候補のＣＣＥが除外される場合、少なくとも１つのＣＣＥでＰＤＣＣＨ候補と重複するすべての有効な候補も除外される。一実施形態において、ＵＥ（またはｇＮＢ）は、各ＣＣＥ除外機会の後にＣＨＥ制限に達したかどうかを判定し得る。
【００３０】
特定の実施形態によれば、Ｙ（低減するＣＣＥの数）を異なるアグリゲーションレベルの候補に分割することは、（例えば、ＵＥ固有の探索空間セットにおいて）ＵＥによってサポートされるアグリゲーションレベルに従って決定され得る。図２は、最大アグリゲーションレベル（ＡＬ）を１６（左の表）および８（右の表）と想定した、異なるアグリゲーションレベルのＢＤ候補低減の例を示す。いくつかの実施形態において、ＢＤ候補の少なくとも１つのＣＣＥが除外される場合、同じＢＤ候補のすべてのＣＣＥが除外されるようになる。したがって、一実施形態において、関数Ｙ（ｎ）は、図２により表にすることができる。
【００３１】
別の実施形態において、Ｙ（低減するＣＣＥの数）を異なるアグリゲーションレベルの候補に分割することは、特定の方程式に基づいて決定され得る。例えば、Ｙ（ｎ）は、次の方程式を使用して決定され得る。最高のＡＬの場合ｎ＝１、Ｙ（１）＝ｆｌｏｏｒ（Ｙ／ＡＬ（１））、他のＡＬの場合、Ｙ（ｎ）＝ｍｏｄ（ｆｌｏｏｒ（Ｙ／ＡＬ（ｎ））、ＡＬ（ｎ−１）／ＡＬ（ｎ））、式中、ＡＬは降順でＰＤＣＣＨ  ＡＬ（ＣＣＥ除外の対象）を示すベクトル（例えば、ＡＬ＝［８  ４  ２  １］）であり、ｎはＡＬインデックスである。特定のＡＬ（ｎ）で除外するのに十分なＣＣＥがない場合、Ｙ（ｎ−１）は、１だけ増分され得る。Ｙを異なるＡＬの候補に分割する手順は、ＣＣＥ低減が特定のＡＬ、例えば、ＡＬ≦４のみに適用される場合にも適用され得ることに留意されたい。これは、ＣＣＥ除外の場合にもＰＤＣＣＨカバレッジを十分なレベルに維持できることを保証するために使用され得る。
【００３２】
他の実施形態は、ＣＣＥ除外が最大アグリゲーションレベルに従って行われない場合にＹ（ｎ）を決定する方法についての異なる選択肢を提供する。特定の実施形態によれば、ＣＣＥ除外が最大アグリゲーションレベルに従って行われない場合、Ｙ（ｎ）を決定するための複数の方法があり得る。この手法は、例えば、ＣＣＥ除外によってＢＤが十分に低減されない場合に使用され得る。例えば、Ｙ＝１５であり、少なくとも７つのＢＤが除外される場合、図３に示す４番または７番の組合せが実現可能な手法となる。
【００３３】
ＣＣＥ低減の必要性は、ＢＤ低減の必要性と同時に存在する可能性がある。この場合、一実施形態によれば、ＣＣＥ低減は、ＢＤ低減の前に最初に実行され得る。ＣＣＥ低減の実行後に追加のＢＤ低減が必要な場合、前述のように、ＣＣＥ低減手順の後にＢＤ低減が行われ得る。別の実施形態において、ＢＤ低減は、ＣＣＥ低減の前に最初に実行され得る。ＢＤ低減の実行後に追加のＣＣＥ低減が必要な場合、ＣＣＥ低減が実行され得る。
【００３４】
特定の実施形態において、組合せが既知であるとき、どの候補／ＢＤを除外するかを決定することは、１つまたは複数の所定の除外規則に従って行われ得る。特定の実施形態において、実際の除外規則は、候補を優先順位番号でラベル付けすることに基づき得る。一例として、潜在的なＢＤ低減の対象となる各ＢＤおよび／または候補に、優先順位番号を割り当てることができ、優先順位番号に従ってＢＤの数が低減され得る。例えば、最低の優先順位番号を有するＢＤは、ＢＤの所望のレベルに達するまで除外され得る。いくつかの例示的な実施形態において、複数のＢＤが同じ優先順位番号を有するとき、探索空間の最低の優先順位を有するＢＤが除外され得る。
【００３５】
他の実施形態によれば、以下でより詳細に述べるように、重複しない候補が除外され得、次いで、重複する候補が除外され得る。
【００３６】
各ＡＬから除外されるＢＤ候補を選択するための第１の代替の例を、図４に関連して示す。より具体的には、図４は、候補の重複に依存して候補をラベル付けする例を示す。この第１の代替では、候補は、候補の平均重複を表すφでラベル付けされ得、候補の組合せによって決定された候補が除外され得、ＡＬ内では、最小のφを有する候補が最初に除外され得る。図４の例において、探索空間は３２個のＣＣＥを有し、例えばＣＣＥインデックス０から始まるＡＬ８は、候補のＣＣＥ０〜７の重複は｛３、２、１、１、２、２、３、４｝であるので、平均重複がφ＝２．２５である。したがって、この例では、ＡＬ８候補の中で最初に除外する候補は、より小さい平均重複φ＝２を有するのでＣＣＥインデックス番号２４から始まる候補である。
【００３７】
各ＡＬから除外されるＢＤ候補を選択するための第２の代替の例を、図５に関連して示す。より具体的には、図５は、重複に依存して候補をラベル付けする別の例を示す。この第２の代替では、候補は、候補が除去された場合に低減されるＣＣＥの数を示すψでラベル付けされ得、候補の組合せによって決定された候補が除外され得、ＡＬ内では、最大数のψを有する候補が最初に除外され得る。図５の例において、探索空間は３２個のＣＣＥを有し、例えばＣＣＥ０から始まるＡＬ８の候補の重複インデックスはψ＝２であり、これは、この候補が、他の候補と重複していない２個のＣＣＥを有するからである。したがって、この例では、ＡＬ８候補の中で最初に除外する候補は、他のＣＣＥ番号２４の候補がより大きい重複インデックスψ＝３を有するので、ＣＣＥ番号０から始まる候補である。
【００３８】
各ＡＬから除外されるＢＤ候補を選択するための第３の代替の例は、特定のスロットにおいてＣＣＥ除外を必要とする場合、ＢＤ除外に基づいて選択を行うことを含み得る。例えば、ＢＤ除外は、ＢＤの既定の優先順位番号に基づき得る。ＢＤ除外の優先順位は、優先順位番号が、ＢＤ除外の対象となるＰＤＣＣＨ候補ごとに個別にカウントされ、優先順位番号が、探索空間セットｓ内のＰＤＣＣＨ候補インデックスおよびアグリゲーションレベルＬに依存するものとして定義され得る。ＢＤ／ＰＤＣＣＨ候補は、ハッシュ関数に従って、またはＢＤ候補（１、２、…）の最小のＣＣＥに従ってインデックスが付けられ得る。ρ＿ＢＤとして示される優先順位番号は、
【００３９】
【数１】
2021510969.tif 000005
と定義され得、式中、それぞれ、ｓは探索空間セットのインデックスであり、Ｌはアグリゲーションレベルのインデックスであり、Ｍ＿Ｓ＾（Ｌ）はＰＤＣＣＨ候補の数であり、ｍはＰＤＣＣＨ候補のインデックスである。１つ以上のＣＣＥを除外する必要がある場合、１つ以上の探索空間セットから少なくとも１つのＢＤ候補が除外され、それに応じて推定されるＣＣＥの数が低減することになり、除外されるＢＤ候補は、ＢＤ除外の対象となるすべての関連する探索空間セット内の最小のρ＿ＢＤ（ｓ、Ｌ、ｍ）に従って定義され得、複数のＢＤが同じ優先順位を有する場合、除外順序は既定の優先順位に従って定義され得る。例えば、除外順序は、ＡＬに従うものとすることができ、例えばより低いＡＬからのＢＤ候補が最初に除外される。他の例において、除外順序は、探索空間セット優先順位に従うものとすることができ、例えば、より低い探索空間セットの優先順位を有するＢＤ候補が最初に除外される。一実施形態において、探索空間セットの優先順位は、例えば探索空間セットのＩＤから暗黙的に導出され得る。一実施形態において、ＣＣＥ上限／制限により１つまたは複数のＣＣＥを除外する必要があるとき、ＵＥ（およびｇＮＢ）は、優先順位番号ρBD（ｓ、Ｌ、ｍ）に従ってＢＤ候補を順次に除外してもよく、除外は、ＣＣＥ／スロットの数が既定のＣＣＥ上限内になるまで継続される。一実施形態によれば、選択した候補のＣＣＥが特定のＣＯＲＥＳＥＴで除外される場合、ＣＣＥと完全にまたは部分的に重複する他のＰＤＣＣＨ候補も、除外を適用できる探索空間セットのＣＯＲＥＳＥＴにおいて除外される。
【００４０】
したがって、上述し、図４および図５に示した３つの代替はすべて、異なるアグリゲーションレベルの候補間の実際の重複を考慮し得る。加えて、特定の実施形態によれば、上述の３つの代替は、任意の適切な方法で組み合わせることができる。
【００４１】
いくつかの例示的な実施形態において、ＢＤの割当ては、１スロット当たりのＢＤの最大数Ｎに達するまで、優先順位メトリックまたは優先順位番号に従って実行され得る。特定の実施形態によれば、この割当ての方策は、１スロット当たりのＢＤの最大数Ｎまたは１スロット当たりのＣＣＥの最大数Ｚを超えない限り、優先順位メトリックに従ってＢＤが割り当てられるように拡張され得る。この手法では、除外されるＣＣＥの実際の数Ｙを決定する必要はない。また、既定のＢＤ／ＣＣＥ（タイプ０、タイプ０Ａ、タイプ１、タイプ２、および／もしくはタイプ３、または他の既定の共通探索空間セットに属するＢＤ／ＣＣＥなど）が決して除外されないという規則を有することも可能である。順次の除外と組み合わせるとき、ＵＥ（およびｇＮＢ）は、それらの探索空間セットのＣＣＥ／ＣＯＲＥＳＥＴに属するＢＤ候補を単に省略することができ、すなわち、そのようなＢＤ候補を除外に対して無効であると見なし、次のＢＤ候補で順次の手続きを続行することができる。いくつかの例示的な実施形態において、ＢＤ候補の除外は、チャネル推定されるＣＣＥの数Ｘが１スロット当たりに許容されるＣＣＥの最大数Ｚ以下になるまで、優先順位メトリックまたは優先順位番号に従って順次実行され得る。この手法では、除外するＣＣＥの実際の数Ｙを決定する必要はない。必要な反復回数を最小限に抑えるために、選択したＰＤＣＣＨ候補のＣＣＥが除外されるとき、少なくとも１つのＣＣＥでＰＤＣＣＨ候補と重複するすべての有効な候補も除外される。一実施形態によれば、選択した候補のＣＣＥが特定のＣＯＲＥＳＥＴで除外される場合、ＣＣＥと完全にまたは部分的に重複する他のＰＤＣＣＨ候補も、除外を適用できる探索空間セットのＣＯＲＥＳＥＴにおいて除外される。
【００４２】
上記の例示的な実施形態のいくつかにおいて、最高のアグリゲーションレベルのＰＤＣＣＨ候補が、しばしば最初に除外される。しかしながら、他の実施形態によれば、除外の方策は、代替として、最低のアグリゲーションレベルから開始することができる。一実施形態において、候補割当て順序（除外順序）は、優先順位メトリックまたは優先順位番号によって与えられてもよく、したがって、割当て順序（除外順序）は、アグリゲーションレベルにわたって変化してもよい（例えば、割当てはアグリゲーションレベル２、１、２、１、８、４、２、１、…に沿っていてもよい）。さらに、特定の実施形態において、優先順位メトリックまたは優先順位番号は、すべてのアグリゲーションレベルを同じ優先順位で処理するように、またはより高いアグリゲーションレベルもしくはより低いアグリゲーションレベルを優先するように構成され、構成を通じて様々なＢＤ／ＣＣＥ除外の方策の実装が可能になる。特定の実施形態において、より高いアグリゲーションレベルまたはより低いアグリゲーションレベルを最初に除外する（または割り当てる）かどうかを構成するための、単一のシグナリングビットなどの無駄のないシグナリング手段があり得る。
【００４３】
１スロット当たりに割り当てられる制御チャネル要素の数、または１スロット当たりに割り当てられるブラインド復号と制御チャネル要素との両方を制限するための代替の実施形態は、２つのステップでＰＤＣＣＨ候補を割り当てることであり得る。第１のステップにおいて、１スロット当たりのＢＤの最大数Ｎおよび／または１スロット当たりのＣＣＥの最大数Ｚに達するまで、ＣＯＲＥＳＥＴ全体にわたって第１のハッシュ関数を使用することによって、ＰＤＣＣＨ候補の第１のサブセットが割り当てられ得る。第２のステップにおいて、残りのＰＤＣＣＨ候補は、第１のステップで割り当てられた最大Ｚ個のＣＣＥのサブセットにわたって第２のハッシュ関数によって割り当てられ得る。
【００４４】
特定の実施形態において、第１のステップにおけるＰＤＣＣＨ候補の割当ては、より高いＡＬで開始し、より低いＡＬで続行することによって、またはその逆で実行され得る。代替の実施形態において、第１のステップにおけるＰＤＣＣＨ候補の割当ては、ＢＤ優先順位番号に従って実行され得る。これらの実施形態のいずれかでは、第１のステップにおけるＰＤＣＣＨ候補の割当ては、１つまたは複数のＡＬを含み得る。
【００４５】
いくつかの実施形態において、１スロット当たりに割り振られたＣＣＥの数が初めてＺに達したとき、第１のステップにおけるＰＤＣＣＨ候補の割当てが停止され得る。代替の実施形態において、１スロット当たりに割り振られたＣＣＥの数が初めてＺに達したとき、第１のステップにおけるＰＤＣＣＨ候補の割当ては停止されず、１スロット当たりに割り振られたＣＣＥの数がＺを超えない場合、および１スロット当たりに割り振られたＢＤの数がＮを超えない場合に、ＰＤＣＣＨ候補が割り当てられる。
【００４６】
特定の実施形態において、第２のステップでＰＤＣＣＨ候補を割り当てるために使用される第２のハッシュ関数は、第１のステップでＰＤＣＣＨ候補を割り当てるために使用される第１のハッシュ関数と実質的に同一とすることができる。代替の実施形態において、第２のハッシング関数は第１のハッシング関数と異なってもよく、例えば、ＬＴＥ  ＰＤＣＣＨまたはＬＴＥ  ＥＰＤＣＣＨのいずれかのハッシュ関数が第２のステップで使用されてもよく、または、ランダム変数をゼロに設定してＬＴＥ  ＰＤＣＣＨまたはＬＴＥ  ＥＰＤＣＣＨのハッシュ関数をそれぞれ使用することによって、決定論的な連続または非連続の割当てが第２のステップで使用されてもよい。
【００４７】
特定の実施形態において、スロット内の第２のステップでのＰＤＣＣＨ候補の割当てに使用される最大Ｚ個のＣＣＥのサブセットは、同じＣＯＲＥＳＥＴの同じ探索空間セットから第１のステップにおいて導出され得る。代替の実施形態において、スロット内の第２のステップでのＰＤＣＣＨ候補の割当てに使用される最大Ｚ個のＣＣＥのサブセットは、場合によっては１つまたは複数の共通探索空間セットおよび／または同じ探索空間セットを含む１つまたは複数の他のユーザ固有の探索空間セットを含む、同じＣＯＲＥＳＥＴの複数の探索空間セットから導出され得る。後者の実施形態では、ＣＯＲＥＳＥＴのＰＤＣＣＨ候補の割当ては、共通探索空間セットなどの第１の探索空間セットで開始し、次いで、探索空間セットの優先順位に従ってユーザ固有の探索空間セットなどの第２、第３、…の探索空間セットで続行し得る。
【００４８】
ＵＥに割り当てられた複数のＣＯＲＥＳＥＴまたは探索空間セットの場合、１スロット当たりの最大数Ｎ個のＢＤおよび／またはＺ個のＣＣＥが分割され、それぞれのＣＯＲＥＳＥＴおよび／または探索空間セットに、値Ｎ’、Ｎ”などおよび／またはＺ’、Ｚ”などが割り当てられ得る。ＮおよびＹの分割は、仕様によって事前定義されるか、明示的なシグナリングによって構成されるか、または暗黙的に導出されてもよく、例えば、Ｎの暗黙的な分割はＢＤの優先順位番号に従って行うことができ、Ｚの暗黙的な分割は割り振られるＣＣＥの数に応じて行うことができ、割り振られるＣＣＥの数は、正確に計算されるか、または異なるアグリゲーションレベルのＰＤＣＣＨ候補間の重複をゼロと仮定することによって概算され得る。
【００４９】
図６ａは、一実施形態による装置１０の例を示す。一実施形態において、装置１０は、通信ネットワーク内の、またはそのようなネットワークにサービスを提供するノード、ホスト、またはサーバとすることができる。例えば、装置１０は、基地局、ノードＢ、発展型ノードＢ（ｅＮＢ）、５ＧノードＢもしくはアクセスポイント、次世代ノードＢ（ＮＧ−ＮＢまたはｇＮＢ）、ＷＬＡＮアクセスポイント、モビリティ管理エンティティ（ＭＭＥ）、および／またはＧＳＭネットワーク、ＬＴＥネットワーク、５ＧもしくはＮＲなどの無線アクセスネットワークに関連付けられたサブスクリプションサーバとすることができる。
【００５０】
いくつかの例示的な実施形態において、装置１０は、サーバおよび無線ノードが、無線経路を介してもしくは有線接続を介して互いに通信するスタンドアロン装置であり得るか、またはサーバおよび無線ノードが、有線接続を介して通信する同じエンティティ内に配置され得る、分散コンピューティングシステムとしてのエッジクラウドサーバから構成され得ることを理解されたい。当業者は、装置１０が図６ａに示されていない構成要素または特徴を含み得ることを理解するであろうことに留意されたい。
【００５１】
図６ａの例に示すように、装置１０は、情報を処理し、命令または動作を実行するためのプロセッサ１２を含み得る。プロセッサ１２は、任意のタイプの汎用または専用プロセッサとすることができる。実際、プロセッサ１２は、例として、汎用コンピュータ、専用コンピュータ、マイクロプロセッサ、デジタル信号プロセッサ（ＤＳＰ）、フィールドプログラマブルゲートアレイ（ＦＰＧＡ）、特定用途向け集積回路（ＡＳＩＣ）、およびマルチコアプロセッサアーキテクチャに基づくプロセッサのうちの１つまたは複数を含み得る。図６ａには単一のプロセッサ１２が示されているが、他の実施形態によれば、複数のプロセッサが利用され得る。例えば、特定の実施形態において、装置１０は、マルチプロセッシングをサポートし得るマルチプロセッサシステムを形成し得る（例えば、この場合、プロセッサ１２はマルチプロセッサを表し得る）２つ以上のプロセッサを含み得ることを理解されたい。特定の実施形態において、マルチプロセッサシステムは、（例えば、コンピュータクラスタを形成するために）密結合または疎結合され得る。
【００５２】
プロセッサ１２は、例えば、アンテナ利得／位相パラメータのプリコーディング、通信メッセージを形成する個々のビットの符号化および復号、情報のフォーマット、ならびに通信リソースの管理に関連するプロセスを含む装置１０の全体的な制御を含み得る、装置１０の動作に関連する機能を実行し得る。
【００５３】
装置１０は、プロセッサ１２によって実行され得る情報および命令を格納するための、プロセッサ１２に結合され得るメモリ１４（内部または外部）をさらに含むか、またはそれに結合され得る。メモリ１４は、１つまたは複数のメモリであり、ローカルアプリケーション環境に適した任意のタイプとすることができ、半導体ベースのメモリデバイス、磁気メモリデバイスおよびシステム、光メモリデバイスおよびシステム、固定メモリ、ならびに／またはリムーバブルメモリなどの任意の適切な揮発性または不揮発性のデータ記憶技術を使用して実装され得る。例えば、メモリ１４は、ランダムアクセスメモリ（ＲＡＭ）、読み取り専用メモリ（ＲＯＭ）、磁気もしくは光ディスクなどの静的記憶装置、ハードディスクドライブ（ＨＤＤ）、または他の任意のタイプの非一過性の機械可読媒体もしくはコンピュータ可読媒体の任意の組合せから構成され得る。メモリ１４に格納された命令は、プロセッサ１２によって実行されたときに、装置１０が本明細書に記載のタスクを実行することを可能にするプログラム命令またはコンピュータプログラムコードを含み得る。
【００５４】
一実施形態において、装置１０は、光ディスク、ＵＳＢドライブ、フラッシュドライブ、もしくは他の任意の記憶媒体などの外部コンピュータ可読記憶媒体を受け入れて読み取るように構成されたドライブもしくはポート（内部または外部）をさらに含むか、またはそれに結合され得る。例えば、外部コンピュータ可読記憶媒体は、プロセッサ１２および／または装置１０による実行のためのコンピュータプログラムまたはソフトウェアを格納し得る。
【００５５】
いくつかの実施形態において、装置１０はまた、装置１０との間で信号および／またはデータを送信および受信するための１つもしくは複数のアンテナ１５を含むか、またはそれに結合され得る。装置１０は、情報を送信および受信するように構成されたトランシーバ１８をさらに含むか、またはそれに結合され得る。トランシーバ１８は、例えば、アンテナ１５に結合され得る複数の無線インターフェースを含み得る。無線インターフェースは、ＧＳＭ、ＮＢ−ＩｏＴ、ＬＴＥ、５Ｇ、ＷＬＡＮ、Ｂｌｕｅｔｏｏｔｈ、ＢＴ−ＬＥ、ＮＦＣ、無線周波数識別子（ＲＦＩＤ：ｒａｄｉｏ  ｆｒｅｑｕｅｎｃｙ  ｉｄｅｎｔｉｆｉｅｒ）、ウルトラワイドバンド（ＵＷＢ）、ＭｕｌｔｅＦｉｒｅなどのうちの１つまたは複数を含む複数の無線アクセス技術に対応し得る。無線インターフェースは、１つまたは複数の下りリンクを介した送信用のシンボルを生成するため、および（例えば、上りリンクを介して）シンボルを受信するために、フィルタ、変換器（例えば、デジタルアナログ変換器など）、マッパー、高速フーリエ変換（ＦＦＴ：Ｆａｓｔ  Ｆｏｕｒｉｅｒ  Ｔｒａｎｓｆｏｒｍ）モジュールなどの構成要素を含み得る。
【００５６】
したがって、トランシーバ１８は、アンテナ１５による送信のために情報をキャリア波形に変調し、装置１０の他の要素によるさらなる処理のためにアンテナ１５を介して受信した情報を復調するように構成され得る。他の実施形態において、トランシーバ１８は、信号またはデータを直接送信および受信することが可能であり得る。追加または代替として、いくつかの実施形態において、装置１０は、入力および／または出力デバイス（Ｉ／Ｏデバイス）を含み得る。
【００５７】
一実施形態において、メモリ１４は、プロセッサ１２によって実行されたときに機能を提供するソフトウェアモジュールを格納し得る。モジュールは、例えば、装置１０にオペレーティングシステム機能を提供するオペレーティングシステムを含み得る。メモリは、装置１０に追加の機能を提供するために、アプリケーションまたはプログラムなどの１つまたは複数の機能モジュールも格納し得る。装置１０の構成要素は、ハードウェアにおいて、またはハードウェアとソフトウェアとの任意の適切な組合せとして実装され得る。
【００５８】
いくつかの実施形態によれば、プロセッサ１２およびメモリ１４は、処理回路もしくは制御回路に含まれるか、またはその一部を形成し得る。加えて、いくつかの実施形態において、トランシーバ１８は、送受信回路に含まれるか、またはその一部を形成し得る。
【００５９】
本明細書で使用されるとき、「回路」という用語は、ハードウェアのみの回路実装（例えば、アナログおよび／またはデジタル回路）、ハードウェア回路とソフトウェアとの組合せ、アナログおよび／もしくはデジタルハードウェア回路とソフトウェア／ファームウェアとの組合せ、連携して装置（例えば、装置１０）に様々な機能を実行させる、ソフトウェア（デジタル信号プロセッサを含む）を備えたハードウェアプロセッサの任意の部分、ならびに／または、動作にソフトウェアを使用するが、動作にソフトウェアが必要ないときはそこにソフトウェアが存在しない場合があるハードウェア回路および／もしくはプロセッサ、もしくはその一部を意味することがある。さらなる例として、本明細書で使用されるとき、「回路」という用語は、単にハードウェア回路もしくはプロセッサ（または複数のプロセッサ）、またはハードウェア回路もしくはプロセッサの一部、ならびにそれに付随するソフトウェアおよび／またはファームウェアの実装もカバーし得る。回路という用語は、例えば、サーバ、セルラーネットワークノードもしくはセルラーネットワークデバイス、または他のコンピューティングデバイスもしくはネットワークデバイスにおけるベースバンド集積回路もカバーし得る。
【００６０】
上記で紹介したように、特定の実施形態において、装置１０は、基地局、アクセスポイント、ノードＢ、ｅＮＢ、ｇＮＢ、ＷＬＡＮアクセスポイントなどのネットワークノードまたはＲＡＮノードとすることができる。特定の実施形態によれば、装置１０は、図１〜図５に示すフロー図、シグナリング図、またはブロック図などの、本明細書に記載の実施形態のいずれかに関連する機能を実行するように、メモリ１４およびプロセッサ１２によって制御され得る。特定の実施形態において、装置１０は、例えば、ＵＥのチャネル推定の負荷を低減するために、ＣＣＥを低減または除外することを含み得るブラインド探索によって制御チャネルの監視を実行するように構成され得る。
【００６１】
例えば、いくつかの実施形態において、装置１０は、ＣＨＥ制限に達したかどうかを判定するように、メモリ１４およびプロセッサ１２によって制御され得る。一実施形態において、スロット内でＣＨＥを実行しなければならないＣＣＥの数を、ＵＥがスロット内でチャネル推定を実行することができるＣＣＥの数と比較することによって、ＣＨＥ制限に達したかどうか（すなわち、Ｘ＞Ｚかどうか）が判定され得る。ＣＨＥ制限に達したと判断されたとき（すなわち、スロット内でＣＨＥを実行しなければならないＣＣＥの数が、ＵＥがスロット内でチャネル推定を実行することができるＣＣＥの数よりも多いとき）、装置１０は、低減するＣＣＥの数（Ｙ）を決定し、低減するＣＣＥの数を異なるＡＬのＢＤ候補に分割し、異なるＣＯＲＥＳＥＴまたは探索空間セットから除外されるＢＤを選択し、選択したＢＤを除去または除外するように、メモリ１４およびプロセッサ１２によって制御され得る。特定の実施形態によれば、共通探索空間セットの一部であるＣＣＥは保持される（すなわち、除外されない）。
【００６２】
ＣＨＥ制限に達していないと判定されたとき、装置１０は、（例えば、ＣＣＥの除外を実行しないことによって）現在のＣＣＥレベルを維持するように、メモリ１４およびプロセッサ１２によって制御され得る。特定の例示的な実施形態において、装置１０は１つまたは複数のＵＥ固有の探索空間セットを含むＰＤＣＣＨ監視が実行されるとき、スロットごとに個別にＣＨＥ制限に達したかどうかを判定するように、メモリ１４およびプロセッサ１２によって制御され得る。いくつかの実施形態において、ＢＤ候補の少なくとも１つのＣＣＥが除外されるとき、装置１０は、そのＢＤ候補のＣＣＥのすべてを除外するように、メモリ１４およびプロセッサ１２によって制御され得る。
【００６３】
一実施形態によれば、装置１０は、ＣＨＥが実行されなければならないＣＣＥの数を低減するＢＤ候補の組合せを、低減されるＣＣＥの数から直接決定するように、メモリ１４およびプロセッサ１２によって制御され得る。例えば、一実施形態において、ＢＤ候補が別の有効な候補と重複していない場合、装置１０は、低減されるＣＣＥの数だけＣＨＥ数を低減するように、メモリ１４およびプロセッサ１２によって制御され得る。別の実施形態において、ＢＤ候補が実質的に重複している場合、装置１０は、ＣＣＥおよび／またはＢＤ低減をもう一度実行するように、メモリ１４およびプロセッサ１２によって制御され得る。一実施形態によれば、装置１０はまた、重複しないＢＤ候補を最初に除外し、次いで必要に応じて重複するＢＤ候補を除外するように、メモリ１４およびプロセッサ１２によって制御され得る。
【００６４】
いくつかの実施形態において、装置１０は、低減されるＣＣＥの数を異なるＡＬの候補に分割するようにメモリ１４およびプロセッサ１２によって制御され得る。例えば、一実施形態において、ＣＣＥの数は、次の方程式に従って分割され得る。最高のＡＬの場合、Ｙ（１）＝ｆｌｏｏｒ（Ｙ／ＡＬ（１））、他のＡＬの場合、Ｙ（ｎ）＝ｍｏｄ（ｆｌｏｏｒ（Ｙ／ＡＬ（ｎ））、ＡＬ（ｎ−１）／ＡＬ（ｎ））、式中、ＡＬは降順でＰＤＣＣＨ  ＡＬ（ＣＣＥ除外の対象）を示すベクトル（例えば、ＡＬ＝［８  ４  ２  １］）であり、ｎはＡＬインデックスである。一実施形態によれば、低減されるＣＣＥの数を異なるＡＬの候補に分割することは、例えば図４の例に示されるように、どのＢＤ候補が最低平均グループを有するかに基づいて、各ＡＬから除外されるＢＤ候補を選択することを含み得る。別の実施形態において、低減されるＣＣＥの数を異なるＡＬの候補に分割することは、ＢＤ候補が除去された場合に低減されるであろうＣＣＥの最大数をどのＢＤ候補が有するかに基づいて、各ＡＬから除外されるＢＤ候補を選択することを含み得る。
【００６５】
一実施形態において、装置１０はまた、既定の探索空間セットの優先順位および／または規則に基づいて、どのＣＣＥおよび／またはＢＤ候補を除去するかを決定するように、メモリ１４およびプロセッサ１２によって制御され得る。例えば、一実施形態において、許容されるＢＤ試行の最大数に達したとき、ＢＤは、各ＢＤに割り当てられた優先順位番号に従って、かつ既定の探索空間セットの優先順位および／または規則に従って低減され得る。この実施形態において、既定の探索空間セットの優先順位および／または規則は、ＢＤ候補のそれぞれに優先順位番号を割り当てること、および優先順位番号に従ってブラインド復号の試行回数を低減することを含み得る。例えば、一実施形態において、既定の探索空間セットの優先順位および／または規則は、許容されるレベルまたは所望のレベルに達するまで、すなわち、ＢＤの数が、許容されるＢＤ試行の既定の最大閾値を下回るまで、最低の優先順位番号を有するＢＤを除外するように構成され得る。しかしながら、他の実施形態において、既定の探索空間セットの優先順位および／または規則は、許容されるレベルまたは所望のレベルに達するまで、最高の優先順位番号を有するＢＤを除外することを含み得る。複数のＢＤが同じ優先順位番号を有する場合、（同じ優先順位番号を有するＢＤの中から）探索空間セットの最低の優先順位を有するＢＤが除外され得る。
【００６６】
特定の実施形態によれば、装置１０はまた、ＣＣＥおよび／またはＢＤ候補の低減されるセットを与えられた物理下りリンク制御チャネルを、ＵＥに送信するように、メモリ１４およびプロセッサ１２によって制御され得る。いくつかの実施形態において、ＣＣＥ低減とＢＤ低減の両方が必要なとき、装置１０は、最初にＣＣＥ低減を実行するようにメモリ１４およびプロセッサ１２によって制御され、ＣＣＥ低減の実行後にさらにＢＤ低減が必要な場合、装置１０は、ＢＤ低減を実行するようにメモリ１４およびプロセッサ１２によって制御され得る。
【００６７】
図６ｂは、別の実施形態による装置２０の例を示す。一実施形態において、装置２０は、ＵＥ、モバイル機器（ＭＥ）、移動局、モバイルデバイス、固定デバイス、ＩｏＴデバイス、または他のデバイスなどの、通信ネットワーク内またはそのようなネットワークに関連付けられたノードまたは要素とすることができる。本明細書で説明するように、ＵＥは、代替として、例えば、移動局、モバイル機器、モバイルユニット、モバイルデバイス、ユーザデバイス、加入者局、無線端末、タブレット、スマートフォン、ＩｏＴデバイスまたはＮＢ−ＩｏＴデバイスなどと呼ばれることもある。一例として、装置２０は、例えば、ワイヤレスハンドヘルドデバイス、ワイヤレスプラグインアクセサリなどにおいて実装され得る。
【００６８】
いくつかの例示的な実施形態において、装置２０は、１つもしくは複数のプロセッサ、１つもしくは複数のコンピュータ可読記憶媒体（例えば、メモリ、記憶装置など）、１つもしくは複数の無線アクセス構成要素（例えば、モデム、トランシーバなど）、および／またはユーザインターフェースを含み得る。いくつかの実施形態において、装置２０は、ＧＳＭ、ＬＴＥ、ＬＴＥ−Ａ、ＮＲ、５Ｇ、ＷＬＡＮ、ＷｉＦｉ、ＮＢ−ＩｏＴ、Ｂｌｕｅｔｏｏｔｈ、ＮＦＣ、ＭｕｌｔｅＦｉｒｅ、および／または他の任意の無線アクセス技術などの１つまたは複数の無線アクセス技術を使用して動作するように構成され得る。当業者は、装置２０が図６ｂに示されていない構成要素または特徴を含み得ることを理解することに留意されたい。
【００６９】
図６ｂの例に示すように、装置２０は、情報を処理し、命令または動作を実行するためのプロセッサ２２を含むか、またはプロセッサ２２に結合され得る。プロセッサ２２は、任意のタイプの汎用または専用プロセッサとすることができる。実際、プロセッサ２２は、例として、汎用コンピュータ、専用コンピュータ、マイクロプロセッサ、デジタル信号プロセッサ（ＤＳＰ）、フィールドプログラマブルゲートアレイ（ＦＰＧＡ）、特定用途向け集積回路（ＡＳＩＣ）、およびマルチコアプロセッサアーキテクチャに基づくプロセッサのうちの１つまたは複数を含み得る。図６ｂには単一のプロセッサ２２が示されているが、他の実施形態によれば、複数のプロセッサが利用され得る。例えば、特定の実施形態において、装置２０は、マルチプロセッシングをサポートし得るマルチプロセッサシステムを形成し得る（例えば、この場合、プロセッサ２２はマルチプロセッサを表し得る）２つ以上のプロセッサを含み得ることを理解されたい。特定の実施形態において、マルチプロセッサシステムは、（例えば、コンピュータクラスタを形成するために）密結合または疎結合され得る。
【００７０】
プロセッサ２２は、いくつかの例として、アンテナ利得／位相パラメータのプリコーディング、通信メッセージを形成する個々のビットの符号化および復号、情報のフォーマット、ならびに通信リソースの管理に関連するプロセスを含む装置２０の全体的な制御を含む、装置２０の動作に関連する機能を実行し得る。
【００７１】
装置２０は、プロセッサ２２によって実行され得る情報および命令を格納するための、プロセッサ２２に結合され得るメモリ２４（内部または外部）をさらに含むか、またはメモリ２４に結合され得る。メモリ２４は、１つまたは複数のメモリであり、ローカルアプリケーション環境に適した任意のタイプとすることができ、半導体ベースのメモリデバイス、磁気メモリデバイスおよびシステム、光メモリデバイスおよびシステム、固定メモリ、ならびに／またはリムーバブルメモリなどの任意の適切な揮発性または不揮発性のデータ記憶技術を使用して実装され得る。例えば、メモリ２４は、ランダムアクセスメモリ（ＲＡＭ）、読み取り専用メモリ（ＲＯＭ）、磁気もしくは光ディスクなどの静的記憶装置、ハードディスクドライブ（ＨＤＤ）、または他の任意のタイプの非一過性の機械可読媒体もしくはコンピュータ可読媒体の任意の組合せから構成され得る。メモリ２４に格納された命令は、プロセッサ２２によって実行されたときに、装置２０が本明細書に記載のタスクを実行することを可能にするプログラム命令またはコンピュータプログラムコードを含み得る。
【００７２】
一実施形態において、装置２０は、光ディスク、ＵＳＢドライブ、フラッシュドライブ、もしくは他の任意の記憶媒体などの外部コンピュータ可読記憶媒体を受け入れて読み取るように構成されたドライブもしくはポート（内部または外部）をさらに含むか、またはそれに結合され得る。例えば、外部コンピュータ可読記憶媒体は、プロセッサ２２および／もしくは装置２０による実行のためのコンピュータプログラムまたはソフトウェアを格納し得る。
【００７３】
いくつかの実施形態において、装置２０はまた、下りリンク信号を受信するため、および装置２０から上りリンクを介して送信するための１つもしくは複数のアンテナ２５を含むか、またはそれに結合され得る。装置２０は、情報を送信および受信するように構成されたトランシーバ２８をさらに含み得る。トランシーバ２８は、アンテナ２５に結合された無線インターフェース（例えば、モデム）も含み得る。無線インターフェースは、ＧＳＭ、ＬＴＥ、ＬＴＥ−Ａ、５Ｇ、ＮＲ、ＷＬＡＮ、ＮＢ−ＩｏＴ、Ｂｌｕｅｔｏｏｔｈ、ＢＴ−ＬＥ、ＮＦＣ、ＲＦＩＤ、ＵＷＢなどのうちの１つまたは複数を含む複数の無線アクセス技術に対応し得る。無線インターフェースは、下りリンクまたは上りリンクによって搬送されるＯＦＤＭＡシンボルなどのシンボルを処理するために、フィルタ、変換器（例えば、デジタルアナログ変換器など）、シンボルデマッパー、信号整形構成要素、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）モジュールなどの他の構成要素を含み得る。
【００７４】
例えば、トランシーバ２８は、アンテナ２５による送信のために情報をキャリア波形に変調し、装置２０の他の要素によるさらなる処理のためにアンテナ２５を介して受信した情報を復調するように構成され得る。他の実施形態において、トランシーバ２８は、信号またはデータを直接送信および受信することが可能であり得る。追加または代替として、いくつかの実施形態において、装置１０は、入力および／もしくは出力デバイス（Ｉ／Ｏデバイス）、またはＩ／Ｏ回路を含み得る。特定の実施形態において、装置２０は、グラフィカルユーザインターフェースまたはタッチスクリーンなどのユーザインターフェースをさらに含み得る。
【００７５】
一実施形態において、メモリ２４は、プロセッサ２２によって実行されたときに機能を提供するソフトウェアモジュールを格納する。モジュールは、例えば、装置２０にオペレーティングシステム機能を提供するオペレーティングシステムを含み得る。メモリは、装置２０に追加の機能を提供するために、アプリケーションまたはプログラムなどの１つまたは複数の機能モジュールも格納し得る。装置２０の構成要素は、ハードウェアにおいて、またはハードウェアとソフトウェアとの任意の適切な組合せとして実装され得る。例示的な実施形態によれば、装置２０は、ＮＲなどの任意の無線アクセス技術に従って、無線または有線通信リンク７０を介して装置１０と通信するように構成されてもよい。
【００７６】
いくつかの実施形態によれば、プロセッサ２２およびメモリ２４は、処理回路もしくは制御回路に含まれるか、またはその一部を形成し得る。加えて、いくつかの実施形態において、トランシーバ２８は、送受信回路に含まれるか、またはその一部を形成し得る。
【００７７】
上述のように、いくつかの実施形態によれば、装置２０は、例えば、ＵＥ、モバイルデバイス、移動局、ＭＥ、ＩｏＴデバイスおよび／またはＮＢ−ＩｏＴデバイスとすることができる。特定の実施形態によれば、装置２０は、本明細書に記載の実施形態に関連する機能を実行するように、メモリ２４およびプロセッサ２２によって制御され得る。例えば、いくつかの実施形態において、装置２０は、図１〜図５に示すフロー図、シグナリング図、またはブロック図などの、本明細書に記載のフローチャートまたはシグナリング図のいずれかに示すプロセスのうちの１つまたは複数を実行するように構成され得る。
【００７８】
例えば、特定の実施形態において、装置２０は、複数の探索空間または探索空間のセットまたはＣＯＲＥＳＥＴの間でＮＲ制御チャネル（例えば、ＰＤＣＣＨ）ＢＤ試行を実行するように、メモリ２４およびプロセッサ２２によって制御され得る。一実施形態において、以下でより詳細に述べるように、ＣＨＥ制限に達したとき、装置２０は、ＣＨＥ制限を下回るようにＣＣＥおよび／またはＢＤの数を低減するように、メモリ２４およびプロセッサ２２によって制御され得る。
【００７９】
例えば、一実施形態において、装置２０は、ネットワークノードから、複数の探索空間、探索空間のセット、および／またはＣＯＲＥＳＥＴに対するＢＤおよび／または候補の構成を受信するようにメモリ２４およびプロセッサ２２によって制御され得、その結果、ＣＨＥを実行しなければならないＣＣＥの数が、装置２０がスロット内でＣＨＥを実行できるＣＣＥの数を超えることがある。例えば、いくつかの実施形態において、装置２０は、ＣＨＥ制限に達したかどうかを判定するように、メモリ２４およびプロセッサ２２によって制御され得る。一実施形態において、スロット内でＣＨＥを実行しなければならないＣＣＥの数を、ＵＥがスロット内でチャネル推定を実行することができるＣＣＥの数と比較することによって、ＣＨＥ制限に達したかどうか（すなわち、Ｘ＞Ｚかどうか）が判定され得る。ＣＨＥ制限に達したと判断されたとき（すなわち、スロット内でＣＨＥを実行しなければならないＣＣＥの数が、ＵＥがスロット内でチャネル推定を実行することができるＣＣＥの数よりも多いとき）、装置２０は、低減するＣＣＥの数（Ｙ）を決定し、低減するＣＣＥの数を異なるＡＬのＢＤ候補に分割し、異なるＣＯＲＥＳＥＴまたは探索空間セットから除外されるＢＤを選択し、選択したＢＤを除去または除外するように、メモリ２４およびプロセッサ２２によって制御され得る。特定の実施形態によれば、共通探索空間セットの一部であるＣＣＥは保持される（すなわち、除外されない）。
【００８０】
ＣＨＥ制限に達していないと判定されたとき、装置２０は、（例えば、ＣＣＥの除外を実行しないことによって）現在のＣＣＥレベルを維持するように、メモリ２４およびプロセッサ２２によって制御され得る。特定の例示的な実施形態において、装置２０は１つまたは複数のＵＥ固有の探索空間セットを含むＰＤＣＣＨ監視が実行されるとき、スロットごとに個別にＣＨＥ制限に達したかどうかを判定するように、メモリ２４およびプロセッサ２２によって制御され得る。いくつかの実施形態において、ＢＤ候補の少なくとも１つのＣＣＥが除外されるとき、装置２０は、そのＢＤ候補のＣＣＥのすべてを除外するように、メモリ２４およびプロセッサ２２によって制御され得る。
【００８１】
一実施形態によれば、装置２０は、ＣＨＥが実行されなければならないＣＣＥの数を低減するＢＤ候補の組合せを、低減されるＣＣＥの数から直接決定するように、メモリ２４およびプロセッサ２２によって制御され得る。例えば、一実施形態において、ＢＤ候補が別の有効な候補と重複していない場合、装置２０は、低減されるＣＣＥの数だけＣＨＥ数を低減するように、メモリ２４およびプロセッサ２２によって制御され得る。別の実施形態において、ＢＤ候補が実質的に重複している場合、装置２０は、ＣＣＥおよび／またはＢＤ低減をもう一度実行するように、メモリ２４およびプロセッサ２２によって制御され得る。一実施形態によれば、装置２０はまた、重複しないＢＤ候補を最初に除外し、次いで必要に応じて重複するＢＤ候補を除外するように、メモリ２４およびプロセッサ２２によって制御され得る。
【００８２】
いくつかの実施形態において、装置２０は、低減されるＣＣＥの数を異なるＡＬの候補に分割するようにメモリ２４およびプロセッサ２２によって制御され得る。例えば、一実施形態において、ＣＣＥの数は、次の方程式に従って分割され得る。最高のＡＬの場合、Ｙ（１）＝ｆｌｏｏｒ（Ｙ／ＡＬ（１））、他のＡＬの場合、Ｙ（ｎ）＝ｍｏｄ（ｆｌｏｏｒ（Ｙ／ＡＬ（ｎ））、ＡＬ（ｎ−１）／ＡＬ（ｎ））、式中、ＡＬは降順でＰＤＣＣＨ  ＡＬ（ＣＣＥ除外の対象）を示すベクトル（例えば、ＡＬ＝［８  ４  ２  １］）であり、ｎはＡＬインデックスである。一実施形態によれば、低減されるＣＣＥの数を異なるＡＬの候補に分割することは、例えば図４の例に示されるように、どのＢＤ候補が最も低い平均グループを有するかに基づいて、各ＡＬから除外されるＢＤ候補を選択することを含み得る。別の実施形態において、低減されるＣＣＥの数を異なるＡＬの候補に分割することは、ＢＤ候補が除去された場合に低減されるであろうＣＣＥの最大数をどのＢＤ候補が有するかに基づいて、各ＡＬから除外されるＢＤ候補を選択することを含み得る。
【００８３】
一実施形態において、装置２０はまた、既定の探索空間セットの優先順位および／または規則に基づいて、どのＣＣＥおよび／またはＢＤ候補を除去するかを決定するように、メモリ２４およびプロセッサ２２によって制御され得る。例えば、一実施形態において、許容されるＢＤ試行の最大数に達したとき、ＢＤは、各ＢＤに割り当てられた優先順位番号に従って、かつ既定の探索空間セットの優先順位および／または規則に従って低減され得る。この実施形態において、既定の探索空間セットの優先順位および／または規則は、ＢＤ候補のそれぞれに優先順位番号を割り当てること、および優先順位番号に従ってブラインド復号の試行回数を低減することを含み得る。例えば、一実施形態において、既定の探索空間セットの優先順位および／または規則は、許容されるレベルまたは所望のレベルに達するまで、すなわち、ＢＤの数が、許容されるＢＤ試行の既定の最大閾値を下回るまで、最低の優先順位番号を有するＢＤを除外するように構成され得る。しかしながら、他の実施形態において、既定の探索空間セットの優先順位および／または規則は、許容されるレベルまたは所望のレベルに達するまで、最高の優先順位番号を有するＢＤを除外することを含み得る。複数のＢＤが同じ優先順位番号を有する場合、（同じ優先順位番号を有するＢＤの中から）探索空間セットの最低の優先順位を有するＢＤが除外され得る。
【００８４】
いくつかの実施形態において、ＣＣＥ低減とＢＤ低減の両方が必要なとき、装置２０は、最初にＣＣＥ低減を実行するようにメモリ２４およびプロセッサ２２によって制御され、ＣＣＥ低減の実行後にさらにＢＤ低減が必要な場合、装置２０は、ＢＤ低減を実行するようにメモリ２４およびプロセッサ２２によって制御され得る。
【００８５】
図７ａは、例示的な実施形態による、ＮＲ制御チャネル（例えば、ＰＤＣＣＨ）ブラインド探索を制御または管理するための方法の例示的なフロー図を示す。一実施形態において、方法は、例えば、基地局、ｅＮＢ、ｇＮＢ、中継ノード、またはアクセスノードなどのネットワークノードによって実行され得る。一実施形態において、図７ａの方法は、７００において、複数の探索空間、探索空間のセット、および／またはＣＯＲＥＳＥＴをＵＥに構成するステップを含み得、その結果、ＵＥのＣＨＥ能力を超えることがある。方法は、７０５において、ＣＨＥ制限に達したかどうかを判定するステップを含み得る。これは、例えばスロットごとに個別に判定され得る。一実施形態において、判定するステップ７０５は、スロット内でＣＨＥを実行しなければならないＣＣＥの数を、ＵＥがスロット内でチャネル推定を実行することができるＣＣＥの数と比較することによって、ＣＨＥ制限に達したかどうか（すなわち、Ｘ＞Ｚかどうか）を判定するステップを含み得る。
【００８６】
７０５においてＣＨＥ制限を超えたと判定されたとき（すなわち、スロット内でＣＨＥを実行しなければならないＣＣＥの数が、ＵＥがスロット内でチャネル推定を実行できるＣＣＥの数よりも多いとき）、方法は、７１０において、低減するＣＣＥの数（Ｙ）を決定するステップを含んでもよい。任意の一実施形態において、方法は、７１５において、低減するＣＣＥの数を異なるＡＬのＢＤ候補に分割するステップも含み得る。しかしながら、分割するステップ７１５は、特定の実施形態において省略されてもよく、優先順位番号が与えられる場合、すぐに除外するステップが行われてもよいことに留意されたい。方法はまた、７２０において、異なるＣＯＲＥＳＥＴまたは探索空間セットから除外されるＢＤを選択するステップと、７２５において、選択したＢＤ候補を除去または除外するステップとを含み得る。特定の実施形態によれば、１つまたは複数の共通探索空間セットタイプの一部であるＣＣＥは保持される（すなわち、除外されない）。
【００８７】
ＣＨＥ制限に達していないと判定されたとき、方法は、（例えば、ＣＣＥの除外を実行しないことによって）現在のＣＣＥレベルを維持し、ステップ７００に戻ることを含み得る。特定の例示的な実施形態において、判定するステップ７０５は、１つまたは複数のＵＥ固有の探索空間セットを含むＰＤＣＣＨ監視が実行されるとき、スロットごとに個別にＣＨＥ制限に達したかどうかを判定するステップを含み得る。いくつかの実施形態において、ＢＤ候補の少なくとも１つのＣＣＥが除外されるとき、方法は、そのＢＤ候補のＣＣＥのすべてを除外するステップを含み得る。
【００８８】
一実施形態によれば、方法は、ＣＨＥが実行されなければならないＣＣＥの数を低減するＢＤ候補の組合せを、低減されるＣＣＥの数から直接決定することも含み得る。例えば、一実施形態において、ＢＤ候補が別の有効な候補と重複していない場合、方法は、低減されるＣＣＥの数だけＣＨＥ数を低減することを含み得る。別の実施形態において、ＢＤ候補が実質的に重複している場合、方法は、ＣＣＥおよび／またはＢＤ低減をもう一度実行することを含み得る。一実施形態によれば、除去するステップ７２５は、重複しないＢＤ候補を最初に除外すること、および、次いで必要に応じて重複するＢＤ候補を除外することを含み得る。
【００８９】
いくつかの実施形態において、分割するステップ７１５は、低減されるＣＣＥの数を異なるＡＬの候補に分割するステップを含み得る。例えば、一実施形態において、ＣＣＥの数は、次の方程式に従って分割され得る。最高のＡＬの場合、Ｙ（１）＝ｆｌｏｏｒ（Ｙ／ＡＬ（１））、他のＡＬの場合、Ｙ（ｎ）＝ｍｏｄ（ｆｌｏｏｒ（Ｙ／ＡＬ（ｎ））、ＡＬ（ｎ−１）／ＡＬ（ｎ））、式中、ＡＬは降順でＰＤＣＣＨ  ＡＬ（ＣＣＥ除外の対象）を示すベクトル（例えば、ＡＬ＝［８  ４  ２  １］）であり、ｎはＡＬインデックスである。一実施形態によれば、低減されるＣＣＥの数を異なるＡＬの候補に分割するステップは、例えば図４の例に示されるように、どのＢＤ候補が最も低い平均グループを有するかに基づいて、各ＡＬから除外されるＢＤ候補を選択するステップを含み得る。別の実施形態において、低減されるＣＣＥの数を異なるＡＬの候補に分割するステップは、ＢＤ候補が除去された場合に低減されるであろうＣＣＥの最大数をどのＢＤ候補が有するかに基づいて、各ＡＬから除外されるＢＤ候補を選択するステップを含み得る。
【００９０】
一実施形態において、選択するステップ７２０は、既定の探索空間セットの優先順位および／または規則に基づいて、どのＣＣＥおよび／またはＢＤ候補を除去するかを決定するステップを含み得る。例えば、一実施形態において、許容されるＢＤ試行の最大数を超えるとき、ＢＤ候補は、各ＢＤに割り当てられた優先順位番号に従って、かつ既定の探索空間セットの優先順位および／または規則に従って低減され得る。この実施形態において、既定の探索空間セットの優先順位および／または規則は、ＢＤ候補のそれぞれに優先順位番号を割り当てること、および優先順位番号に従ってブラインド復号の試行回数を低減すること、または制限に達するまで優先順位番号に従ってＰＤＣＣＨ候補を追加することを含み得る。例えば、一実施形態において、既定の探索空間セットの優先順位および／または規則は、許容されるレベルまたは所望のレベルに達するまで、すなわち、ＢＤの数が、許容されるＢＤ試行の既定の最大閾値を下回るか、またはその最大閾値まで、最低の優先順位番号を有するＢＤを除外するように構成され得る。しかしながら、他の実施形態において、既定の探索空間セットの優先順位および／または規則は、許容されるレベルまたは所望のレベルに達するまで、最高の優先順位番号を有するＢＤを除外することを含み得る。複数のＢＤが同じ優先順位番号を有する場合、（同じ優先順位番号を有するＢＤの中から）探索空間セットの最低の優先順位を有するＢＤが除外され得る。
【００９１】
特定の実施形態によれば、方法は、７３０において、ＣＣＥおよび／またはＢＤ候補の低減されるセットを与えられた物理下りリンク制御チャネルを、ＵＥに送信するステップも含み得る。いくつかの実施形態において、ＣＣＥ低減とＢＤ低減の両方が必要なとき、方法は最初にＣＣＥ低減を実行することを含み得、ＣＣＥ低減の実行後にさらにＢＤ低減が必要な場合、方法はＢＤ低減を実行することを含み得る。
【００９２】
図７ｂは、別の実施形態による、ＮＲ制御チャネル（例えば、ＰＤＣＣＨ）ブラインド探索を実行するための方法の例示的なフロー図を示す。一実施形態において、図７ｂの方法は、例えば、ＵＥまたは移動局によって実行され得る。図７ｂの方法は、７５０において、複数の探索空間、探索空間のセット、またはＣＯＲＥＳＥＴに対するＢＤまたは候補の構成を受信するステップを含み得、その結果、ＵＥのＣＨＥ能力を超えることがある。方法は、７５５において、ＣＨＥ制限に達したかどうかを判定するステップを含み得る。一実施形態において、判定するステップ７５５は、スロット内でＣＨＥを実行しなければならないＣＣＥの数を、ＵＥがスロット内でチャネル推定を実行することができるＣＣＥの数と比較することによって、ＣＨＥ制限に達したかどうか（すなわち、Ｘ＞Ｚかどうか）を判定するステップを含み得る。７５５においてＣＨＥ制限に達したと判定されたとき（すなわち、スロット内でＣＨＥを実行しなければならないＣＣＥの数が、ＵＥがスロット内でチャネル推定を実行できるＣＣＥの数よりも多いとき）、方法は、７６０において、低減するＣＣＥの数（Ｙ）を決定するステップを含み得る。方法は、７６５において、低減するＣＣＥの数を異なるＡＬのＢＤ候補に分割するステップを含んでもよい。しかしながら、特定の実施形態によれば、分割するステップ７６５は省略されてもよい。方法はまた、７７０において、異なるＣＯＲＥＳＥＴまたは探索空間セットから除外されるＢＤを選択するステップと、７７５において、選択したＢＤを除去または除外するステップとを含み得る。特定の実施形態によれば、共通探索空間セットの一部であるＣＣＥは保持される（すなわち、除外されない）。
【００９３】
ＣＨＥ制限に達していないと判定されたとき、方法は、（例えば、ＣＣＥの除外を実行しないことによって）現在のＣＣＥレベルを維持し、ステップ７５０に戻ることを含み得る。特定の例示的な実施形態において、判定するステップ７５５は、１つまたは複数のＵＥ固有の探索空間セットを含むＰＤＣＣＨ監視が実行されるとき、スロットごとに個別にＣＨＥ制限に達したかどうかを判定するステップを含み得る。いくつかの実施形態において、ＢＤ候補の少なくとも１つのＣＣＥが除外されるとき、方法は、そのＢＤ候補のＣＣＥのすべてを除外するステップを含み得る。
【００９４】
一実施形態によれば、選択するステップ７７０は、ＣＨＥが実行されなければならないＣＣＥの数を低減するＢＤ候補の組合せを、低減されるＣＣＥの数から直接決定することも含み得る。例えば、一実施形態において、ＢＤ候補が別の有効な候補と重複していない場合、方法は、低減されるＣＣＥの数だけＣＨＥ数を低減することを含み得る。別の実施形態において、ＢＤ候補が実質的に重複している場合、方法は、ＣＣＥおよび／またはＢＤ低減をもう一度実行することを含み得る。一実施形態によれば、除去するステップ７７５は、重複しないＢＤ候補を最初に除外すること、および次いで必要に応じて重複するＢＤ候補を除外することを含み得る。
【００９５】
いくつかの実施形態において、分割するステップ７６５は、低減されるＣＣＥの数を異なるＡＬの候補に分割するステップを含み得る。例えば、一実施形態において、ＣＣＥの数は、次の方程式に従って分割され得る。最高のＡＬの場合、Ｙ（１）＝ｆｌｏｏｒ（Ｙ／ＡＬ（１））、他のＡＬの場合、Ｙ（ｎ）＝ｍｏｄ（ｆｌｏｏｒ（Ｙ／ＡＬ（ｎ））、ＡＬ（ｎ−１）／ＡＬ（ｎ））、式中、ＡＬは降順でＰＤＣＣＨ  ＡＬ（ＣＣＥ除外の対象）を示すベクトル（例えば、ＡＬ＝［８  ４  ２  １］）であり、ｎはＡＬインデックスである。一実施形態によれば、低減されるＣＣＥの数を異なるＡＬの候補に分割することは、例えば図４の例に示されるように、どのＢＤ候補が最も低い平均グループを有するかに基づいて、各ＡＬから除外されるＢＤ候補を選択することを含み得る。別の実施形態において、低減されるＣＣＥの数を異なるＡＬの候補に分割することは、ＢＤ候補が除去された場合に低減されるであろうＣＣＥの最大数をどのＢＤ候補が有するかに基づいて、各ＡＬから除外されるＢＤ候補を選択することを含み得る。
【００９６】
一実施形態において、方法は、既定の探索空間セットの優先順位および／または規則に基づいて、どのＣＣＥおよび／またはＢＤ候補を除去するかを決定するステップを含み得る。例えば、一実施形態において、許容されるＢＤ試行の最大数に達したとき、ＢＤは、各ＢＤに割り当てられた優先順位番号に従って、かつ既定の探索空間セットの優先順位および／または規則に従って低減され得る。この実施形態において、既定の探索空間セットの優先順位および／または規則は、ＢＤ候補のそれぞれに優先順位番号を割り当てること、および優先順位番号に従ってブラインド復号の試行回数を低減することを含み得る。例えば、一実施形態において、既定の探索空間セットの優先順位および／または規則は、許容されるレベルまたは所望のレベルに達するまで、すなわち、ＢＤの数が、許容されるＢＤ試行の既定の最大閾値を下回るまで、最低の優先順位番号を有するＢＤを除外するように構成され得る。しかしながら、他の実施形態において、既定の探索空間セットの優先順位および／または規則は、許容されるレベルまたは所望のレベルに達するまで、最高の優先順位番号を有するＢＤを除外することを含み得る。複数のＢＤが同じ優先順位番号を有する場合、（同じ優先順位番号を有するＢＤの中から）探索空間セットの最低の優先順位を有するＢＤが除外され得る。
【００９７】
一実施形態において、方法はまた、７８０において、ＣＣＥおよび／またはＢＤ候補の低減されるセットを与えられた制御チャネルを、ネットワークから受信するステップを含み得る。
【００９８】
したがって、本発明の実施形態は、いくつかの技術的な改善、強化、および／または利点を提供する。様々な例示的な実施形態は、ＵＥの制限されたチャネル推定能力を備えた制御チャネル監視のためのスケーラブルな解決策を提供する。いくつかの実施形態は、ＮＲシナリオに適用可能なオーバーブッキングの解決を容易にすることができ、ＵＥチャネル推定の複雑さを合理的なレベルに保つことができる。加えて、実施形態は、任意のＮＲシナリオにスケーリングし、ＲＲＣシグナリングなしで実施してもよい（例えば、除外するＢＤの数を最小限に抑えながら最高のアグリゲーションレベルを最初に除外する手法は、追加のＲＲＣシグナリングを必要としない）。さらに、例示的な実施形態による計算の複雑さは最小限である。したがって、特定の実施形態の結果として、ネットワークスループットおよびＵＥスループット性能を向上させることができる。さらに、ＰＤＣＣＨブロッキングを低減することができ、ＵＥをより多くのＢＤ候補および／またはＣＣＥで構成することができる。したがって、本発明の実施形態は、例えば、アクセスポイント、基地局／ｅＮＢ／ｇＮＢ、およびモバイルデバイスまたはＵＥを含むネットワークおよびネットワークノードの性能およびスループットを改善することができる。したがって、本発明の実施形態を使用すると、通信ネットワークおよびそれらのノードの機能が改善される。
【００９９】
いくつかの実施形態において、本明細書に記載の方法、プロセス、シグナリング図、アルゴリズム、またはフローチャートのいずれかの機能は、ソフトウェア、および／またはメモリもしくは他のコンピュータ可読媒体もしくは有形媒体に格納された、コンピュータプログラムコードもしくはコードの一部によって実装されてよく、プロセッサによって実行されてよい。
【０１００】
いくつかの実施形態において、装置は、少なくとも１つの演算プロセッサによって実行される、算術演算として、またはプログラムもしくはその一部（追加または更新されたソフトウェアルーチンを含む）として構成された少なくとも１つのソフトウェアアプリケーション、モジュール、ユニットもしくはエンティティに含まれるか、またはそれらに関連付けられてよい。ソフトウェアルーチン、アプレット、マクロを含む、プログラム製品またはコンピュータプログラムとも呼ばれるプログラムは、任意の装置可読データ記憶媒体に格納され、特定のタスクを実行するプログラム命令を含んでよい。
【０１０１】
コンピュータプログラム製品は、プログラムが実行されると、実施形態を実行するように構成される１つまたは複数のコンピュータ実行可能な構成要素を含み得る。１つまたは複数のコンピュータ実行可能な構成要素は、少なくとも１つのソフトウェアコードまたはその一部とすることができる。一実施形態の機能を実装するために必要な修正および構成は、追加または更新されたソフトウェアルーチンとして実装され得るルーチンとして実行されてよい。ソフトウェアルーチンは、装置にダウンロードされてよい。
【０１０２】
ソフトウェアまたはコンピュータプログラムコードもしくはその一部は、ソースコード形式、オブジェクトコード形式、または何らかの中間形式とすることができ、これは、プログラムを伝送できる任意のエンティティまたはデバイスであり得るある種のキャリア、配布媒体、またはコンピュータ可読媒体に格納されてよい。そのようなキャリアには、例えば、記録媒体、コンピュータメモリ、読み取り専用メモリ、光電および／または電気キャリア信号、電気通信信号、ならびにソフトウェア配布パッケージが含まれる。コンピュータプログラムは、必要な処理能力に応じて、単一の電子デジタルコンピュータ内で実行されてもよく、またはいくつかのコンピュータに分散されてもよい。コンピュータ可読媒体またはコンピュータ可読記憶媒体は、非一過性媒体とすることができる。
【０１０３】
他の実施形態において、機能は、例えば特定用途向け集積回路（ＡＳＩＣ）、プログラマブルゲートアレイ（ＰＧＡ）、フィールドプログラマブルゲートアレイ（ＦＰＧＡ）、またはハードウェアとソフトウェアの任意の他の組合せを用いて、装置（例えば、装置１０または装置２０）に含まれるハードウェアまたは回路によって実行されてよい。さらに別の実施形態において、機能は、インターネットまたは他のネットワークからダウンロードされた電磁信号によって伝送され得る無形の手段である信号として実装されてよい。
【０１０４】
一実施形態によれば、ノード、デバイス、または対応する構成要素などの装置は、回路、コンピュータ、もしくはシングルチップコンピュータ要素などのマイクロプロセッサとして、または少なくとも算術演算に使用される記憶容量を提供するためのメモリと、算術演算を実行するための演算プロセッサとを含むチップセットとして構成されてよい。
【０１０５】
当業者は、上述の本発明が異なる順序のステップで、および／または開示されたものとは異なる構成のハードウェア要素で実施され得ることを容易に理解するであろう。したがって、本発明をこれらの好ましい実施形態に基づいて説明したが、本発明の趣旨および範囲内で、特定の修正、変形、および代替構造が明らかであることは当業者には明らかであろう。
【図１】
2021510969.tif 000006
【図２】
2021510969.tif 000007
【図３】
2021510969.tif 000008
【図４】
2021510969.tif 000009
【図５】
2021510969.tif 000010
【図６Ａ】
2021510969.tif 000011
【図６Ｂ】
2021510969.tif 000012
【図７Ａ】
2021510969.tif 000013
【図７Ｂ】
2021510969.tif 000014
【国際調査報告】
2021510969.tif 000015